(57)【特許請求の範囲】
【請求項１】
第１の検索条件を受け付ける受付手段と、
ＣＭ（ｃｏｍｍｅｒｃｉａｌ）素材ファイルに含まれるＣＭメタデータを記憶するメタデータ記憶手段を検索し、前記第１の検索条件に合った前記ＣＭメタデータを出力する第１の検索手段と、
前記ＣＭ素材ファイルを識別するコードを示すコード情報を取得する取得手段と、
前記第１の検索手段により検索された前記ＣＭメタデータに、前記コード情報又は前記コード情報の格納先を示す情報を対応付ける対応付手段と、
を有する入稿サーバ。
【請求項２】
請求項１に記載の入稿サーバにおいて、
前記受付手段は、第２の検索条件を受け付け、
前記メタデータ記憶手段を検索し、前記第２の検索条件に合った前記ＣＭメタデータ、及び、対応付けられた前記コード情報を出力する第２の検索手段をさらに有する入稿サーバ。
【請求項３】
請求項１又は請求項２に記載の入稿サーバにおいて、
前記コード情報は、前記コードを示すバーコード又は２次元バーコードを含む画像情報である入稿サーバ。
【請求項４】
請求項２に記載の入稿サーバにおいて、
前記コード情報は、前記コードを示すバーコード又は２次元バーコードを含む画像情報を生成するための情報であって、
前記第２の検索手段は、対応付けられた前記コード情報から前記画像情報を生成する入稿サーバ。
【請求項５】
請求項１に記載の入稿サーバにおいて、
前記コード情報は、前記コードを示すバーコード又は２次元バーコードを含む画像情報を生成するための情報である入稿サーバ。
【請求項６】
請求項２、請求項２に従属する請求項３、又は、請求項４に記載の入稿サーバにおいて、
前記第２の検索手段により出力された前記ＣＭメタデータに対応するＣＭ映像ファイルをＣＭ映像ファイル記憶手段から取り出し、出力するＣＭ映像ファイル出力手段を有する入稿サーバ。
【請求項７】
入稿サーバのクライアントとして機能する入稿サーバクライアント手段を有する端末装置から、第２の検索条件を含む検索依頼を受信する受付手段と、
ＣＭ素材ファイルを識別するコードを示すコード情報又は前記コード情報の格納先を示す情報と、ＣＭ素材ファイルに含まれるＣＭメタデータとを対応付けて記憶するメタデータ記憶手段を検索し、前記第２の検索条件に合った前記ＣＭメタデータ及び対応付けられた前記コード情報を出力する第２の検索手段と、
を有する入稿サーバ。
【請求項８】
請求項７に記載の入稿サーバにおいて、
前記第２の検索手段により出力された前記ＣＭメタデータに対応するＣＭ映像ファイルをＣＭ映像ファイル記憶手段から取り出し、出力するＣＭ映像ファイル出力手段をさらに有する入稿サーバ。
【請求項９】
入稿サーバのクライアントとして機能する入稿サーバクライアント手段を有し、
前記入稿サーバクライアント手段は、
ＣＭ素材ファイルに含まれるＣＭメタデータを記憶するメタデータ記憶手段を検索する第１の検索条件を含む第１の検索依頼を前記入稿サーバに送信する手段と、
前記第１の検索依頼の検索結果として、前記第１の検索条件に合った前記ＣＭメタデータを受信する手段と、
前記第１の検索依頼の前記検索結果を出力する手段と、
前記ＣＭ素材ファイルを識別するコードを示すコード情報を取得する手段と、
前記コード情報又は前記コード情報の格納先を示す情報と前記ＣＭメタデータとの対応付け依頼を前記入稿サーバに送信する手段と、
を有する端末装置。
【請求項１０】
請求項９に記載の端末装置において、
前記入稿サーバクライアント手段は、
前記メタデータ記憶手段を検索する第２の検索条件を含む第２の検索依頼を前記入稿サーバに送信する手段と、
前記第２の検索依頼の検索結果として、前記第２の検索条件に合った前記ＣＭメタデータ、及び、対応付けられた前記コード情報を受信する手段と、
前記第２の検索依頼の前記検索結果を出力する手段と、
を有する端末装置。
【請求項１１】
請求項９又は請求項１０に記載の端末装置において、
前記コード情報は、前記コードを示すバーコード又は２次元バーコードを含む画像情報である端末装置。
【請求項１２】
請求項９又は請求項１０に記載の端末装置において、
前記コード情報は、前記コードを示すバーコード又は２次元バーコードを含む画像情報を生成するための情報であり、
前記入稿サーバクライアント手段は、対応付けられた前記コード情報から前記画像情報を生成する手段を有する端末装置。
【請求項１３】
入稿サーバのクライアントとして機能する入稿サーバクライアント手段を有し、
前記入稿サーバクライアント手段は、
ＣＭ素材ファイルを識別するコードを示すコード情報又は前記コード情報の格納先を示す情報と、ＣＭ素材ファイルに含まれるＣＭメタデータとを対応付けて記憶するメタデータ記憶手段を検索する第２の検索条件を含む第２の検索依頼を前記入稿サーバに送信する手段と、
前記第２の検索依頼の検索結果として、前記第２の検索条件に合った前記ＣＭメタデータ、及び、対応付けられた前記コード情報を受信する手段と、
前記第２の検索依頼の検索結果を出力する手段と、
を有する端末装置。
【請求項１４】
請求項１３に記載の端末装置において、
前記コード情報は、前記コードを示すバーコード又は２次元バーコードを含む画像情報である端末装置。
【請求項１５】
請求項１３に記載の端末装置において、
前記コード情報は、前記コードを示すバーコード又は２次元バーコードを含む画像情報を生成するための情報であり、
前記端末装置は、対応付けられた前記コード情報から前記画像情報を生成する手段を有する端末装置。
【請求項１６】
請求項１２又は１５に記載の端末装置において、
前記端末装置は、コードリーダを有し、前記画像情報を前記コードリーダで読み取ることで、前記コード情報を取得する端末装置。
【請求項１７】
請求項９から１６のいずれか１項に記載の端末装置において、
営放システムのクライアントとして機能する営放システムクライアント手段をさらに有する端末装置。
【請求項１８】
請求項１７に記載の端末装置において、
前記営放システムクライアント手段は、
前記第１の検索依頼の前記検索結果に含まれる前記ＣＭメタデータを取得する手段と、
前記ＣＭメタデータに対応する前記コード情報を、前記営放システムに要求する手段と、
要求の結果として取得した前記コードを示す画像情報を出力する手段と、
を有する端末装置。
【請求項１９】
コンピュータが、
第１の検索条件を受け付ける受付工程と、
ＣＭ素材ファイルに含まれるＣＭメタデータを記憶するメタデータ記憶手段を検索し、
前記第１の検索条件に合った前記ＣＭメタデータを出力する第１の検索工程と、
前記ＣＭ素材ファイルを識別するコードを示すコード情報を取得する取得工程と、
前記第１の検索工程で検索された前記ＣＭメタデータに、前記コード情報又は前記コード情報の格納先を示す情報を対応付ける対応付工程と、
を実行する入稿サーバの動作方法。
【請求項２０】
請求項１９に記載の入稿サーバの動作方法において、
前記受付工程では、第２の検索条件を受け付け、
前記コンピュータが、前記メタデータ記憶手段を検索し、前記第２の検索条件に合った前記ＣＭメタデータ、及び、対応付けられた前記コード情報を出力する第２の検索工程をさらに実行する入稿サーバの動作方法。
【請求項２１】
コンピュータを、
第１の検索条件を受け付ける受付手段、
ＣＭ素材ファイルに含まれるＣＭメタデータを記憶するメタデータ記憶手段を検索し、前記第１の検索条件に合った前記ＣＭメタデータを出力する第１の検索手段、
前記ＣＭ素材ファイルを識別するコードを示すコード情報を取得する取得手段、
前記第１の検索手段により検索された前記ＣＭメタデータに、前記コード情報又は前記コード情報の格納先を示す情報を対応付ける対応付手段、
として機能させるプログラム。
【請求項２２】
請求項２１に記載のプログラムにおいて、
前記受付手段は、第２の検索条件を受け付け、
前記コンピュータを、前記メタデータ記憶手段を検索し、前記第２の検索条件に合った前記ＣＭメタデータ、及び、対応付けられた前記コード情報を出力する第２の検索手段としてさらに機能させるプログラム。
【発明の詳細な説明】
【技術分野】
【０００１】
本発明は、入稿サーバ、端末装置、入稿サーバの動作方法及びプログラムに関する。
【背景技術】
【０００２】
放送局で広告として放送される広告動画データは、広告動画データを制作した制作会社で１つずつビデオテープに記録される。そして、広告動画データは、ビデオテープを媒体として広告会社から放送局に納品される。
【０００３】
放送局に納品されたビデオテープは、放送局（営放システム）に登録されている契約情報（例：広告主名、ＣＭ（ｃｏｍｍｅｒｃｉａｌ）素材名、１０桁ＣＭコード、放送期間等）と関連付けられる（入稿処理）。そして、その後の所定のタイミングで、ファイリング処理が行われる。すなわち、当該ビデオテープに記録された広告動画データを用いて所定の編集、所定のファイル形式への変換等が行われた動画ファイルがバンクシステムに登録される。
【０００４】
近年、ファイルベースメディア（ＸＤＣＡＭ用プロフェッショナルディスク、Ｐ２カード、ＧＦＰＡＫ等）や通信ネットワーク（インターネット等）を用いて広告動画データを放送局に納品する試みがなされている。関連する技術が特許文献１に開示されている。
【０００５】
特許文献１に開示の放送局システムは、センターサーバから広告動画データを受信すると、当該広告動画データに付属するメタデータと、予め営放システムに記憶されているメタデータとを比較し、一致した場合、当該広告動画データを広告管理サーバに記憶させる。
【先行技術文献】
【特許文献】
【０００６】
【特許文献１】特開２０１２−１５６４６号公報
【発明の概要】
【発明が解決しようとする課題】
【０００７】
ビデオテープで納品する現行システムから特許文献１に開示の放送局システムに切り替える場合、営放システム等多くのシステムを改修する必要がある。このため、費用や労力の負担が大きい。
【０００８】
本発明は、ファイルベースメディアや通信ネットワークを用いて放送局に広告動画データが納品された場合に適用される新たな技術を提供することを課題とする。
【課題を解決するための手段】
【０００９】
本発明によれば、
第１の検索条件を受け付ける受付手段と、
ＣＭ（ｃｏｍｍｅｒｃｉａｌ）素材ファイルに含まれるＣＭメタデータを記憶するメタデータ記憶手段を検索し、前記第１の検索条件に合った前記ＣＭメタデータを出力する第１の検索手段と、
前記ＣＭ素材ファイルを識別するコードを示すコード情報を取得する取得手段と、
前記第１の検索手段により検索された前記ＣＭメタデータに、前記コード情報又は前記コード情報の格納先を示す情報を対応付ける対応付手段と、
を有する入稿サーバが提供される。
【００１０】
また、本発明によれば、
入稿サーバのクライアントとして機能する入稿サーバクライアント手段を有する端末装置から、第２の検索条件を含む検索依頼を受信する受付手段と、
ＣＭ素材ファイルを識別するコードを示すコード情報又は前記コード情報の格納先を示す情報と、ＣＭ素材ファイルに含まれるＣＭメタデータとを対応付けて記憶するメタデータ記憶手段を検索し、前記第２の検索条件に合った前記ＣＭメタデータ及び対応付けられた前記コード情報を出力する第２の検索手段と、
を有する入稿サーバが提供される。
【００１１】
また、本発明によれば、
入稿サーバのクライアントとして機能する入稿サーバクライアント手段を有し、
前記入稿サーバクライアント手段は、
ＣＭ素材ファイルに含まれるＣＭメタデータを記憶するメタデータ記憶手段を検索する第１の検索条件を含む第１の検索依頼を前記入稿サーバに送信する手段と、
前記第１の検索依頼の検索結果として、前記第１の検索条件に合った前記ＣＭメタデータを受信する手段と、
前記第１の検索依頼の前記検索結果を出力する手段と、
前記ＣＭ素材ファイルを識別するコードを示すコード情報を取得する手段と、
前記コード情報又は前記コード情報の格納先を示す情報と前記ＣＭメタデータとの対応付け依頼を前記入稿サーバに送信する手段と、
を有する端末装置が提供される。
【００１２】
また、本発明によれば、
入稿サーバのクライアントとして機能する入稿サーバクライアント手段を有し、
前記入稿サーバクライアント手段は、
ＣＭ素材ファイルを識別するコードを示すコード情報又は前記コード情報の格納先を示す情報と、ＣＭ素材ファイルに含まれるＣＭメタデータとを対応付けて記憶するメタデータ記憶手段を検索する第２の検索条件を含む第２の検索依頼を前記入稿サーバに送信する手段と、
前記第２の検索依頼の検索結果として、前記第２の検索条件に合った前記ＣＭメタデータ、及び、対応付けられた前記コード情報を受信する手段と、
前記第２の検索依頼の検索結果を出力する手段と、
を有する端末装置が提供される。
【００１３】
また、本発明によれば、
コンピュータが、
第１の検索条件を受け付ける受付工程と、
ＣＭ素材ファイルに含まれるＣＭメタデータを記憶するメタデータ記憶手段を検索し、前記第１の検索条件に合った前記ＣＭメタデータを出力する第１の検索工程と、
前記ＣＭ素材ファイルを識別するコードを示すコード情報を取得する取得工程と、
前記第１の検索工程で検索された前記ＣＭメタデータに、前記コード情報又は前記コード情報の格納先を示す情報を対応付ける対応付工程と、
を実行する入稿サーバの動作方法が提供される。
【００１４】
また、本発明によれば、
コンピュータを、
第１の検索条件を受け付ける受付手段、
ＣＭ素材ファイルに含まれるＣＭメタデータを記憶するメタデータ記憶手段を検索し、前記第１の検索条件に合った前記ＣＭメタデータを出力する第１の検索手段、
前記ＣＭ素材ファイルを識別するコードを示すコード情報を取得する取得手段、
前記第１の検索手段により検索された前記ＣＭメタデータに、前記コード情報又は前記コード情報の格納先を示す情報を対応付ける対応付手段、
として機能させるプログラムが提供される。
【発明の効果】
【００１５】
本発明によれば、ファイルベースメディアや通信ネットワークを用いて放送局に広告動画データが納品された場合に適用される新たな技術が実現される。
【図面の簡単な説明】
【００１６】
【図１】本実施形態の装置のハードウエア構成の一例を概念的に示す図である。
【図２】本実施形態の入稿サーバの機能ブロック図の一例である。
【図３】本実施形態の端末装置の機能ブロック図の一例である。
【図４】本実施形態の端末装置の機能ブロック図の一例である。
【図５】本実施形態の端末装置の機能ブロック図の一例である。
【図６】本実施形態の入稿処理の流れの一例を示すフロー図である。
【図７】本実施形態の入稿処理の流れの一例を示すフロー図である。
【図８】本実施形態の入稿サーバの機能ブロック図の一例である。
【図９】本実施形態の入稿サーバの機能ブロック図の一例である。
【図１０】本実施形態のファイリング処理の流れの一例を示すフロー図である。
【図１１】本実施形態のファイリング処理の流れの一例を示すフロー図である。
【図１２】本実施形態の入稿サーバの機能ブロック図の一例である。
【図１３】本実施形態の入稿サーバの機能ブロック図の一例である。
【図１４】本実施形態の入稿サーバの機能ブロック図の一例である。
【発明を実施するための形態】
【００１７】
まず、本実施形態の装置（入稿サーバ、端末装置、営放システム、バンクシステム等）のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００１８】
図１は、本実施形態の装置のハードウエア構成を例示するブロック図である。図１に示すように、装置は、プロセッサ１Ａ、メモリ２Ａ、入出力インターフェイス３Ａ、周辺回路４Ａ、バス５Ａを有する。周辺回路４Ａには、様々なモジュールが含まれる。なお、周辺回路４Ａを有さなくてもよい。
【００１９】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサ等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２０】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２１】
＜第１の実施形態＞
本実施形態の入稿サーバは、ファイルベースメディアや通信ネットワークを用いて放送局に納品されたＣＭ素材ファイルに対し、入稿処理を行う。以下、説明する。
【００２２】
図２に、本実施形態の入稿サーバ１０の機能ブロック図の一例を示す。図示するように、入稿サーバ１０は、ＣＭ映像ファイル処理部１１と、ＣＭ映像ファイル記憶部１２と、メタデータ処理部１３と、メタデータ記憶部１４と、第１の検索部１５と、第１の指定部１６と、取得部１７と、対応付部１８、受付部２２とを有する。
【００２３】
なお、入稿サーバ１０は、ＣＭ映像ファイル処理部１１、ＣＭ映像ファイル記憶部１２、メタデータ処理部１３及びメタデータ記憶部１４を有さなくてもよい。この場合、入稿サーバ１０と異なる外部装置内にＣＭ映像ファイル処理部１１、ＣＭ映像ファイル記憶部１２、メタデータ処理部１３及びメタデータ記憶部１４が備えられる。そして、入稿サーバ１０は、当該外部装置が有するＣＭ映像ファイル記憶部１２及びメタデータ記憶部１４にアクセスし、所定の処理を実行可能に構成される。
【００２４】
ＣＭ映像ファイル処理部１１は、ファイルベースメディアや通信ネットワークを用いて放送局に納品されたＣＭ素材ファイルに含まれるＣＭ映像ファイルを、ＣＭ映像ファイル記憶部１２に記憶させる。ＣＭ素材ファイルに含まれる情報は、少なくとも、映像とメタデータを含むファイルである。しかしながら、ＣＭ素材ファイルは、上述した例に限定されない。ＣＭ素材ファイルは、上述した情報だけでなく、当該メタデータのXMLファイル等を含んでいてもよいし、その他の情報を含んでいてもよい。ＣＭ映像ファイルは、リーダ（黒信号、カラーバー）、主信号（クレジット、ファーストカット、ＣＭ本編、ラストカット）、及び、トレーラ（黒信号）等を含んで構成される。
【００２５】
メタデータ処理部１３は、ファイルベースメディアや通信ネットワークを用いて放送局に納品されたＣＭ素材ファイルに含まれるＣＭメタデータを、メタデータ記憶部１４に記憶させる。その場合に、メタデータ処理部１３は、ＣＭメタデータのＸＭＬファイルと、そのＸＭＬファイルを管理する情報とをメタデータ記憶部１４に記憶させる。あるいは、メタデータ処理部１３は、ＸＭＬファイルに含まれる情報をメタデータ記憶部１４に記憶させる。ＣＭメタデータは、ＣＭ映像ファイルに関連する情報、例えば広告主名、ＣＭ素材名、素材コード（例：１０桁ＣＭコード）等を含む。
【００２６】
ＣＭ映像ファイル処理部１１及びメタデータ処理部１３により、ファイルベースメディアや通信ネットワークを用いて放送局に納品されたＣＭ素材ファイルに含まれるＣＭ映像ファイル及びＣＭメタデータが、放送局内の所定の記憶装置（ＣＭ映像ファイル記憶部１２及びメタデータ記憶部１４）にまとめて格納される。
【００２７】
そして、以下で説明する受付部２２、第１の検索部１５、第１の指定部１６、取得部１７及び対応付部１８により、入稿処理、すなわち、営放システムに登録されている契約情報との対応付け等が行われる。
【００２８】
受付部２２は、第１の検索条件を受け付ける。第１の検索部１５は、メタデータ記憶部１４を検索し、第１の検索条件に合ったＣＭメタデータを出力する。第１の指定部１６は、第１の検索部１５により出力されたＣＭメタデータの中から１つを指定する。
【００２９】
取得部１７は、ＣＭ素材ファイルを識別するコードを示すコード情報を取得する。ＣＭ素材ファイルを識別するコードは、各放送局で独自に付されるコード（以下、「局内独自コード」）である。局内独自コードは、ＣＭメタデータに含まれる素材コード（例：１０桁ＣＭコード）と異なるコードであってもよいし、当該素材コードと同一のコードであってもよい。コード情報は、局内独自コードそのもの（数字や文字を並べた値。以下同様。）であってもよいし、局内独自コードを示す画像情報（例：バーコード又は２次元コード）であってもよい。以下、特別な言及がない限り、「コード情報」は局内独自コードを示す情報を指す。
【００３０】
対応付部１８は、第１の検索部１５により検索され、かつ、第１の指定部１６により指定されたＣＭメタデータに、取得部１７が取得したコード情報、又は、コード情報の格納先を示す情報（例：ネットワーク上のアドレス情報）を対応付ける。例えば、対応付部１８は、メタデータ記憶部１４に、各ＣＭメタデータに対応付けてコード情報を記憶させてもよい。その他、対応付部１８は、メタデータ記憶部１４に、各ＣＭメタデータに対応付けてコード情報の格納先を記憶させてもよい。局内独自コードは、営放システムに登録される契約情報（例：広告主名、ＣＭ素材名、１０桁ＣＭコード、放送期間等）にも対応付けられる。このような局内独自コードを介して、営放システムに登録される契約情報と、ファイルベースメディアや通信ネットワークを用いて放送局に納品されたＣＭ素材のデータ（ＣＭ映像ファイル記憶部１２やメタデータ記憶部１４に記憶されるＣＭ映像ファイルやＣＭメタデータ等）とが対応付けられる。
【００３１】
図１２に本実施形態の入稿サーバ１０の機能ブロック図の他の例を示す。図示する入稿サーバ１０は、第１の指定部１６を有さない。当該例の場合、例えば、第１の検索部１５は第１の検索条件に合った１つのＣＭメタデータを出力する。そして、対応付部１８は、第１の検索部１５により検索された１つのＣＭメタデータに、取得部１７が取得したコード情報、又は、コード情報の格納先を示す情報（例：ネットワーク上のアドレス情報）を対応付ける。
【００３２】
図３に、端末装置５０の機能ブロック図の一例を示す。図示するように、端末装置５０は、制御部５１と、入稿サーバクライアント部５２と、営放システムクライアント部５３とを有する。
【００３３】
制御部５１は、端末装置５０のシステム全体を管理する。制御部５１は、いわゆるＯＳ（operating system）である。入稿サーバクライアント部５２は、入稿サーバ１０のクライアントとして機能する。営放システムクライアント部５３は、営放システムのクライアントとして機能する。
【００３４】
端末装置５０は、例えばＰＣ（personal computer）、タブレット、スマートフォン等である。入稿サーバクライアント用のソフトウエア、及び、営放システムクライアント用のソフトウエアを端末装置５０にインストールすることで、入稿サーバクライアント部５２及び営放システムクライアント部５３が実現される。なお、端末装置５０は、入稿サーバ１０専用に用意されたクライアント端末であってもよい。そして、当該クライアント端末に営放システムクライアント用のソフトウエアをインストールすることで、図３の構成が実現されてもよい。その他、端末装置５０は、営放システム専用に用意されたクライアント端末であってもよい。そして、当該クライアント端末に入稿サーバ１０クライアント用のソフトウエアをインストールすることで、図３の構成が実現されてもよい。
【００３５】
その他、図４及び図５に示すように、論理的及び／又は物理的に分かれた２つの装置（端末装置５０−１及び端末装置５０−２）各々に、入稿サーバクライアント部５２及び営放システムクライアント部５３の各々が設けられてもよい。
【００３６】
入稿サーバクライアント部５２は、入稿処理に関する以下の構成要素を備える。すなわち、入稿サーバクライアント部５２は、メタデータ記憶部１４を検索する第１の検索条件を含む第１の検索依頼を入稿サーバ１０に送信する手段と、第１の検索依頼の検索結果として、第１の検索条件に合ったＣＭメタデータを受信する手段と、第１の検索依頼の検索結果を出力する手段と、ＣＭ素材ファイルを識別するコード（例：局内独自コード）を示すコード情報を取得する手段と、コード情報又はコード情報の格納先を示す情報（例：ネットワーク上のアドレス情報）とＣＭメタデータとの対応付け依頼を入稿サーバに送信する手段と、を有する。
【００３７】
営放システムクライアント部５３は、入稿処理に関する以下の構成要素を備える。すなわち、第１の検索依頼の検索結果に含まれるＣＭメタデータを取得する手段と、ＣＭメタデータに対応するコード情報（例：局内独自コードを示すコード情報）を、営放システムに要求する手段と、要求の結果として取得したコード（例：局内独自コード）を示す画像情報を出力する手段と、を有する。
【００３８】
要求の結果として営放システムから営放システムクライアント部５３に送信されるコード情報は、コードを示す画像情報（例：バーコード又は２次元コード）であってもよいし、画像情報を生成するための情報（コードそのもの）であってもよい。受信するコード情報が画像情報である場合、営放システムクライアント部５３はその画像情報を出力する。受信するコード情報が画像情報を生成するための情報である場合、営放システムクライアント部５３は、受信した情報を用いてコードを示す画像情報を生成し、それを出力する。
【００３９】
ここで、図６のフロー図を用いて、入稿処理の流れの一例を説明する。なお、図中、各機能部に対応する符号は省略しているが、以下の説明では各機能部と符号との関係を明記する。
【００４０】
まず、ファイルベースメディアや通信ネットワークを用いて放送局に納品されたＣＭ素材ファイルに含まれるＣＭ映像ファイル及びＣＭメタデータが、入稿サーバ１０に入力される。なお、入稿サーバ１０に入力される前に、これらのデータに対して所定のセキュリティチェックが行われてもよい。そして、安全が確認されたデータのみ、入稿サーバ１０に入力されてもよい。
【００４１】
ＣＭ映像ファイル及びＣＭメタデータの入力に応じて、ＣＭ映像ファイル処理部１１及びメタデータ処理部１３による「格納」処理が行われる。ＣＭ映像ファイル処理部１１は、ＣＭ映像ファイルをＣＭ映像ファイル記憶部１２に記憶させる。メタデータ処理部１３は、ＣＭメタデータをメタデータ記憶部１４に記憶させる。ＣＭメタデータには、ＣＭ素材ファイルが放送局に納品された日付が対応付けられてもよい。なお、ＣＭ映像ファイル記憶部１２及びメタデータ記憶部１４に記憶させられた後も、対応するＣＭ映像ファイルとＣＭメタデータとは任意の手段で互いに対応付けられる。
【００４２】
入稿処理を実行するオペレータは、端末装置５０を操作し、入稿サーバクライアント機能（入稿サーバクライアント部５２）及び営放システムクライアント機能（営放システムクライアント部５３）各々を任意のタイミングで立ち上げる。そして、端末装置５０が表示する入稿サーバクライアント機能のインターフェイス画面、及び、営放システムクライアント機能のインターフェイス画面各々を介して、入稿処理のための所定の操作を行う。なお、インターフェイス画面の表示は、ディスプレイや投影装置などあらゆる表示装置を介して実現される。
【００４３】
まず、オペレータは、ＣＭ映像ファイル記憶部１２やメタデータ記憶部１４に記憶されたＣＭ素材の中から入稿処理を行う必要があるＣＭ素材を特定するための操作を、入稿サーバクライアント機能のインターフェイス画面に対して行う。具体的には、オペレータは、入稿サーバクライアント機能のインターフェイス画面を介して、所定の検索条件での検索指示を入力する。入稿サーバクライアント部５２は、当該検索指示に応じて、所定の検索条件（第１の検索条件）での検索依頼（第１の検索依頼）を入稿サーバ１０に送信する（図中「検索依頼」）。
【００４４】
検索条件は、例えば、「ＣＭ素材ファイルが放送局に納品された日付」、「入稿処理済みか否か（すなわち、ＣＭメタデータにコード情報が対応付けられているか否か）」等が考えられるが、これらに限定されない。
【００４５】
入稿サーバ１０の受付部２２は、上記検索依頼を受信する。そして、第１の検索部１５は、検索依頼に応じてメタデータ記憶部１４を検索し、検索条件に合ったＣＭメタデータを抽出する。そして、検索結果を入稿サーバクライアント部５２に返信する（図中「検索」）。
【００４６】
端末装置５０の入稿サーバクライアント部５２は、入稿サーバ１０から受信した検索結果、すなわち、検索条件に合ったＣＭメタデータの一覧を出力する（図中「検索結果出力」）。出力は、ディスプレイ、投影装置、プリンター、メーラ等のあらゆる出力装置を用いて実現される。
【００４７】
オペレータは、検索結果として表示されるＣＭメタデータの一覧の中から、入稿処理を行う１つ（以下、「入稿処理対象のＣＭメタデータ」）を決定する。
【００４８】
その後、オペレータは、入稿処理対象のＣＭメタデータに対応するＣＭ素材ファイルの在局登録（ＣＭ素材ファイルが放送局に納品されたことを示す登録）を行うための操作を、営放システムクライアント機能のインターフェイス画面に対して行う。具体的には、オペレータは、営放システムクライアント機能のインターフェイス画面を介して、入稿処理対象のＣＭメタデータの中の一部又は全部の情報（例：広告主名、ＣＭ素材名、１０桁ＣＭコード）を入力する。そして、在局登録を実行する指示を入力する。
【００４９】
なお、オペレータは、入稿サーバクライアント部５２から出力された検索結果を目視で確認しながら、入稿処理対象のＣＭメタデータの内容を営放システムクライアント機能のインターフェイス画面に直接入力してもよい。その他、オペレータは、入稿サーバクライアント機能のインターフェイス画面上で入稿処理対象のＣＭメタデータの内容をコピーし、それを、営放システムクライアント機能のインターフェイス画面上にペーストすることで、上記入力を実現してもよい。
【００５０】
営放システムクライアント部５３は、当該登録指示に応じて、入力を受付けたＣＭメタデータに対応した在局登録の依頼を営放システムに送信する（図中「登録依頼」）。当該依頼の中には、入稿処理対象のＣＭメタデータに対応する局内独自コードの要求も含まれる。
【００５１】
営放システムは、当該依頼に応じて、在局登録を行う（図中「登録処理」）。図示する営放システムの営放記憶部には、複数の契約情報（例：広告主名、ＣＭ素材名、１０桁ＣＭコード、放送期間等）及び各契約情報に対応して発行された局内独自コードが登録される。局内独自コードは、契約情報が営放記憶部に登録される際に発行されてもよい。
【００５２】
一般的に、契約情報が放送局に到達した後、ＣＭ素材ファイルが放送局に到達する。このため、登録処理を行う際には、対応する契約情報が営放記憶部に記憶されている場合が多い。しかし、ＣＭ素材ファイルが先に放送局に到達する場合もあり得る。この場合、登録処理を行う際に、対応する契約情報が営放記憶部に記憶されていない。
【００５３】
営放システムは、在局登録の依頼に応じて、受付けたＣＭメタデータ（例：広告主名、ＣＭ素材名、１０桁ＣＭコード等）をキーとして営放記憶部を検索する。
【００５４】
キーに対応する（内容が一致）契約情報が存在する場合、営放システムは、その契約情報に対応付けて在局登録（ＣＭ素材ファイルが放送局に納品されたことを示す登録）を行う。また、営放システムは、その契約情報に対応する局内独自コードを取得する。そして、営放システムは、取得した局内独自コードを端末装置５０の営放システムクライアント部５３に返信する。
【００５５】
一方、キーに対応する（内容が一致）契約情報が存在しない場合、営放システムは、そのＣＭメタデータの内容を営放記憶部に登録し、併せて在局登録を行う。また、営放システムは、局内独自コードを新たに発行し、登録したＣＭメタデータに対応付けるとともに、当該局内独自コードを端末装置５０の営放システムクライアント部５３に返信する。
【００５６】
営放システムクライアント部５３は、営放システムから局内独自コードを取得すると、当該局内独自コードを示す画像情報を生成する。図に、画像情報の一例（バーコード）を示している。
【００５７】
なお、営放システムが、局内独自コードを示す画像情報を生成してもよい。そして、営放システムは当該画像情報を営放システムクライアント部５３に返信してもよい。営放システムは、営放システムクライアント部５３から在局登録の依頼があると、その都度、局内独自コードを用いて画像情報を生成してもよい。その他、予め複数の局内独自コード各々に対応する複数の画像情報を生成し、営放記憶部に記憶させておいてもよい。
【００５８】
その後、オペレータは、上記局内独自コードを示す画像情報を、入稿サーバ１０のメタデータ記憶部１４に記憶された所定のＣＭメタデータに対応付ける処理を行う。
【００５９】
まず、オペレータは、営放システムクライアント機能のインターフェイス画面を操作して画像情報を所定のファイル形式（例：ＰＤＦファイル）に変換し、所定の記憶装置に記憶させる（図示する「画像情報出力」）。所定の記憶装置は、端末装置５０からアクセス可能な記憶装置であれば特段制限されず、端末装置５０内の記憶装置であってもよいし、端末装置５０と異なる外部装置内の記憶装置であってもよい。
【００６０】
その後、オペレータは、入稿サーバクライアント機能のインターフェイス画面を操作し、入稿処理対象のＣＭメタデータを指定する。そして、オペレータは、上記所定の記憶装置に記憶している所定の画像情報を指定し、先に指定した入稿処理対象のＣＭメタデータに対応付ける指示入力を行う。
【００６１】
当該指示入力に応じて、入稿サーバクライアント部５２は、指定された画像情報を上記所定の記憶装置から取得し（図示する「画像情報取得」）、入稿サーバ１０に送信する。また、入稿サーバクライアント部５２は、上記画像情報を、指定された入稿処理対象のＣＭメタデータに対応付ける依頼を入稿サーバ１０に送信する（図示する「対応付け依頼」）。
【００６２】
入稿サーバ１０の取得部１７は、端末装置５０の入稿サーバクライアント部５２から送信されてきた画像情報及び対応付け依頼を受信する。そして、対応付部１８は、メタデータ記憶部１４に記憶されているＣＭメタデータであって、対応付け依頼があった入稿処理対象のＣＭメタデータに、受信した画像情報を任意の手段で対応付ける（図示する「対応付け」）。画像情報は、入稿サーバ１０内の記憶装置に記憶されてもよいし、入稿サーバ１０と異なる外部装置内の記憶装置に記憶されてもよい。
【００６３】
以上により、ファイルベースメディアや通信ネットワークを用いて放送局に納品され、ＣＭ映像ファイル記憶部１２やメタデータ記憶部１４に記憶されている情報（ＣＭ映像ファイル、ＣＭメタデータ）と、営放システム内の情報（契約情報）との対応付け（局内独自コードを介した対応付け）が完了する。
【００６４】
なお、図６を用いた例では、１つの端末装置５０が入稿サーバクライアント部５２及び営放システムクライアント部５３の両方を備えているが、図４及び図５に示すように、論理的及び／又は物理的に分かれた２つの装置（端末装置５０−１及び端末装置５０−２）各々に、入稿サーバクライアント部５２及び営放システムクライアント部５３の各々が設けられてもよい。
【００６５】
この場合、オペレータは、２つの端末装置（端末装置５０−１及び端末装置５０−２）を並行して操作しながら、上記入稿処理を行う。２つの端末装置間での情報の受け渡し手段は特段制限されず、あらゆる手段を採用できる。例えば、オペレータが、一方の端末装置により表示された情報を目視で確認しながら、他方の端末装置を操作して当該情報を直接入力してもよい。その他、両端末装置からアクセス可能な所定の記憶装置に一方の端末装置内の情報を一旦記憶させ、それを、他方の端末装置で取得してもよい。
【００６６】
以上説明した本実施形態によれば、ファイルベースメディアや通信ネットワークを用いて放送局に納品されたＣＭ素材ファイルに対する入稿処理が実現される。すなわち、ファイルベースメディアや通信ネットワークを用いて放送局に納品され、ＣＭ映像ファイル記憶部１２やメタデータ記憶部１４に記憶されている情報（ＣＭ映像ファイル、ＣＭメタデータ）と、営放システム内の情報（契約情報）との対応付け（局内独自コードを介した対応付け）が実現される。
【００６７】
なお、本実施形態における営放システム及び営放システムクライアント部５３の機能は、ビデオテープで納品する現行システムにおける機能と変わらない。ビデオテープで納品する現行システムと比べて、本実施形態の新規な部分は、入稿サーバ１０及び入稿サーバクライアント部５２である。
【００６８】
すなわち、本実施形態を採用する場合、放送局は、現行システムの営放システム及び営放システムクライアント部５３をそのまま利用し、新たに入稿サーバ１０及び入稿サーバクライアント部５２を放送局に導入すればよい。かかる場合、システム変更に要する費用や労力の負担を軽減できる。このため、本実施形態のシステムは、システム変更に要する費用や労力の負担を軽減したい放送局にとって有益なものとなる。
【００６９】
また、システムを一度に大きく改修すると、不具合が発生する可能性が大きくなったり、不具合原因の特定が難しくなったりという不都合が発生する。入稿サーバ１０及び入稿サーバクライアント部５２の導入のみで済む本実施形態のシステムを過渡期のシステムとして採用することで、上記不都合を軽減できる。
【００７０】
また、本実施形態では、入稿サーバクライアント部５２及び営放システムクライアント部５３を１つの端末装置５０で実現させることができる。本実施形態の場合、入稿サーバ１０と営放システムは協働していない。このため、入稿サーバ１０及び営放システム間で情報のやり取りが必要な場合には、オペレータによる入力内容の確認や入力作業等が必要となる。
【００７１】
入稿サーバクライアント部５２及び営放システムクライアント部５３を１つの端末装置５０で実現させることで、入稿サーバクライアント機能及び営放システムクライアント機能各々のインターフェイス画面を同時に１つのディスプレイに表示することができる。このため、両画面を見比べながら行う作業を効率化できる。また、端末装置５０に備えられたコピーアンドペースト機能等を利用することで、オペレータによる入力作業を効率化できる。
【００７２】
＜第２の実施形態＞
第１の実施形態と異なる点を説明する。本実施形態は、端末装置５０が局内独自コードを示す画像情報を読み取るコードリーダを有する。なお、図４及び図５に示すように、論理的及び／又は物理的に分かれた２つの装置（端末装置５０−１及び端末装置５０−２）各々に、入稿サーバクライアント部５２及び営放システムクライアント部５３の各々が設けられる場合、端末装置５０−１が局内独自コードを示す画像情報を読み取るコードリーダを有する。
【００７３】
そして、入稿サーバクライアント部５２は、局内独自コードを示す画像情報でなく、局内独自コードそのものを取得する。すなわち、入稿サーバクライアント部５２は、コードリーダで画像情報を読み取ることで得られた局内独自コードを取得する。なお、入稿サーバクライアント部５２は、局内独自コードを示す画像情報及び局内独自コードそのものいずれも取得可能に構成されてもよい。
【００７４】
入稿サーバ１０の取得部１７（図２参照）は、局内独自コードを示す画像情報でなく、局内独自コードそのものを取得する。そして、対応付部１８は、第１の指定部１６により指定されたＣＭメタデータに、局内独自コードそのものを対応付ける。なお、取得部１７は、局内独自コードを示す画像情報、及び、局内独自コードそのものいずれも取得可能に構成されてもよい。そして、対応付部１８は、第１の検索部１５により検索されたＣＭメタデータ（例：その中の第１の指定部１６により指定されたＣＭメタデータ）に、取得部１７が取得したコード情報（画像情報又は局内独自コードそのもの）を対応付けてもよい。
【００７５】
ここで、図７のフロー図を用いて、入稿処理の流れの一例を説明する。なお、図中、各機能部に対応する符号は省略しているが、以下の説明では各機能部と符号との関係を明記する。
【００７６】
図示する「格納」、「ＣＭ映像ファイル記憶部」、「メタデータ記憶部」、「検索依頼」、「検索」、「検索結果出力」、「登録依頼」、「登録処理」及び「営放記憶部」の構成は、図６のフロー図を用いて説明した第１の実施形態のものと同様である。
【００７７】
図６のフロー図を用いて説明した通り、端末装置５０の営放システムクライアント部５３は、在局登録の依頼を営放システムに送信すると、それに対する応答として、局内独自コード又は局内独自コードを示す画像情報を、営放システムから受信する。そして、営放システムクライアント部５３は、局内独自コードを受信した場合、局内独自コードを示す画像情報を生成する。
【００７８】
営放システムクライアント部５３が入稿処理対象のＣＭメタデータに対応する局内独自コードを示す画像情報を生成又は取得した後、オペレータは、営放システムクライアント機能のインターフェイス画面を操作し、画像情報をディスプレイに表示させる。その他、オペレータは、プリンターを介して画像情報を印刷してもよいし、メーラを介して他の端末装置に送信し、他の端末装置で画像情報を表示させてもよい。
【００７９】
その後、オペレータは、入稿サーバクライアント機能のインターフェイス画面を操作し、入稿処理対象のＣＭメタデータを指定する。また、オペレータは、コードリーダを介して上記操作で表示させた画像情報を読み取ることで、当該画像情報が示す局内独自コードを入稿サーバクライアント部５２に入力する（図示する「コード取得」）。そして、オペレータは、入力した局内独自コードを、先に指定した入稿処理対象のＣＭメタデータに対応付ける指示入力を行う。
【００８０】
当該指示入力に応じて、入稿サーバクライアント部５２は、取得した局内独自コードを、指定された入稿処理対象のＣＭメタデータに対応付ける依頼を入稿サーバ１０に送信する（図示する「対応付け依頼」）。
【００８１】
入稿サーバ１０の取得部１７は、端末装置５０の入稿サーバクライアント部５２から送信されてきた局内独自コード及び対応付け依頼を受信する。そして、対応付部１８は、メタデータ記憶部１４に記憶されているＣＭメタデータであって、対応付け依頼があった入稿処理対象のＣＭメタデータに、受信した局内独自コードを任意の手段で対応付ける（図示する「対応付け」）。
【００８２】
以上により、ファイルベースメディアや通信ネットワークを用いて放送局に納品され、ＣＭ映像ファイル記憶部１２やメタデータ記憶部１４に記憶されている情報（ＣＭ映像ファイル、ＣＭメタデータ）と、営放システム内の情報（契約情報）との対応付け（局内独自コードを介した対応付け）が完了する。
【００８３】
なお、図７を用いた例では、１つの端末装置５０が入稿サーバクライアント部５２及び営放システムクライアント部５３の両方を備えているが、第１の実施形態同様、図４及び図５に示すように、論理的及び／又は物理的に分かれた２つの装置（端末装置５０−１及び端末装置５０−２）各々に、入稿サーバクライアント部５２及び営放システムクライアント部５３の各々が設けられてもよい。
【００８４】
以上説明した本実施形態によれば、第１の実施形態と同様な作用効果を実現できる。また、入稿サーバクライアント部５２にコードリーダを介して情報を取得する機能を備えることで、入稿サーバクライアント部５２へのコード情報の入力作業が容易になる。結果、作業効率が向上する。
【００８５】
＜第３の実施形態＞
本実施形態の入稿サーバは、ファイルベースメディアや通信ネットワークを用いて放送局に納品されたＣＭ素材ファイルに対し、ファイリング処理を行う。以下、説明する。
【００８６】
図８に、本実施形態の入稿サーバ１０の機能ブロック図の一例を示す。図示するように、入稿サーバ１０は、ＣＭ映像ファイル処理部１１と、ＣＭ映像ファイル記憶部１２と、メタデータ処理部１３と、メタデータ記憶部１４と、第２の検索部１９と、第２の指定部２０と、ＣＭ映像ファイル出力部２１と、受付部２２とを有する。
【００８７】
図９に、本実施形態の入稿サーバ１０の機能ブロック図の他の一例を示す。図示するように、入稿サーバ１０は、ＣＭ映像ファイル処理部１１と、ＣＭ映像ファイル記憶部１２と、メタデータ処理部１３と、メタデータ記憶部１４と、第１の検索部１５と、第１の指定部１６と、取得部１７と、対応付部１８と、第２の検索部１９と、第２の指定部２０と、ＣＭ映像ファイル出力部２１と、受付部２２とを有する。なお、第１の実施形態で説明したように第１の指定部１６を有さなくてもよい。
【００８８】
なお、入稿サーバ１０は、ＣＭ映像ファイル処理部１１、ＣＭ映像ファイル記憶部１２、メタデータ処理部１３及びメタデータ記憶部１４を有さなくてもよい。この場合、入稿サーバ１０と異なる外部装置内にＣＭ映像ファイル処理部１１、ＣＭ映像ファイル記憶部１２、メタデータ処理部１３及びメタデータ記憶部１４が備えられる。そして、入稿サーバ１０は、当該外部装置が有するＣＭ映像ファイル記憶部１２及びメタデータ記憶部１４にアクセスし、所定の処理を実行可能に構成される。
【００８９】
ＣＭ映像ファイル処理部１１、ＣＭ映像ファイル記憶部１２、メタデータ処理部１３、メタデータ記憶部１４、第１の検索部１５、第１の指定部１６、取得部１７及び対応付部１８の構成は、第１及び第２の実施形態と同様である。
【００９０】
受付部２２は、第２の検索条件を受け付ける。第２の検索部１９は、メタデータ記憶部１４を検索し、第２の検索条件に合ったＣＭメタデータ、及び、対応付けられたコード情報を出力する。
【００９１】
コード情報が局内独自コードを示す画像情報である場合、第２の検索部１９はその画像情報を出力する。一方、コード情報が局内独自コードそのもの（局内独自コードを示す画像情報を生成するための情報）である場合、第２の検索部１９は局内独自コードそのものを出力してもよいし、局内独自コードを示す画像情報を生成し、当該画像情報を出力してもよい。第２の検索部１９から出力された情報は、端末装置５０の入稿サーバクライアント部５２に送信される。局内独自コードそのもの（局内独自コードを示す画像情報を生成するための情報）が入稿サーバクライアント部５２に送信された場合、入稿サーバクライアント部５２が局内独自コードを示す画像情報を生成する。
【００９２】
第２の指定部２０は、第２の検索部１９により出力されたＣＭメタデータの中から１つを指定する。ＣＭ映像ファイル出力部２１は、第２の指定部２０により指定されたＣＭメタデータに対応するＣＭ映像ファイルをＣＭ映像ファイル記憶部１２から取り出し、出力する。具体的には、ＣＭ映像ファイル出力部２１は、ＣＭ映像ファイルを用いて編集作業等を行うバンクシステムからアクセス可能な位置に、上記ＣＭ映像ファイルを格納する。例えば、ＣＭ映像ファイル出力部２１は、バンクシステムにＣＭ映像ファイルを送信してもよいし、バンクシステムからアクセス可能な任意の（予め指定されている）記憶装置にＣＭ映像ファイルを格納してもよい。
【００９３】
図１３に本実施形態の入稿サーバ１０の機能ブロック図の他の例を示す。図８の機能ブロック図と比較すると、図示する入稿サーバ１０は、第２の指定部２０を有さない点で異なる。図１４に本実施形態の入稿サーバ１０の機能ブロック図の他の例を示す。図９の機能ブロック図と比較すると、図示する入稿サーバ１０は、第２の指定部２０を有さない点で異なる。当該例の場合、例えば、第２の検索部１９は第２の検索条件に合った１つのＣＭメタデータ及び対応付けられたコード情報を出力する。そして、ＣＭ映像ファイル出力部２１は、第２の検索部１９により検索された１つのＣＭメタデータに対応するＣＭ映像ファイルをＣＭ映像ファイル記憶部１２から取り出し、出力する。なお、図示しないが、図９に示す機能ブロック図の例において、第２の指定部２０を有さない構成とすることもできる。
【００９４】
図４に、端末装置５０−１の機能ブロック図の一例を示す。図示するように、端末装置５０−１は、制御部５１と、入稿サーバクライアント部５２とを有する。なお、図３に示すように構成することもできる。すなわち、端末装置５０は、制御部５１と、入稿サーバクライアント部５２と、営放システムクライアント部５３とを有してもよい。
【００９５】
営放システムクライアント部５３の構成は、第１及び第２の実施形態と同様である。以下、本実施形態の入稿サーバクライアント部５２が備えるファイリング処理のための構成を説明する。なお、入稿サーバクライアント部５２は、以下で説明するファイリング処理のための構成に加えて、第１及び第２の実施形態で説明した入稿処理のための構成を有してもよい。
【００９６】
入稿サーバクライアント部５２は、メタデータ記憶部１４を検索する第２の検索条件を含む第２の検索依頼を入稿サーバ１０に送信する手段と、第２の検索依頼の検索結果として、第２の検索条件に合ったＣＭメタデータ、及び、対応付けられたコード情報を受信する手段と、第２の検索依頼の検索結果を出力する手段と、を有する。
【００９７】
コード情報として局内独自コードを示す画像情報を受信した場合、入稿サーバクライアント部５２は、第２の検索依頼の検索結果として、当該画像情報を出力する。一方、コード情報として局内独自コードそのもの（画像情報を生成するための情報）を受信した場合、入稿サーバクライアント部５２は、当該情報に基づき局内独自コードを示す画像情報を生成し、第２の検索依頼の検索結果として、当該画像情報を出力する。出力は、ディスプレイ、プリンター、メーラ等の出力装置を介して実現される。
【００９８】
ここで、図１０のフロー図を用いて、ファイリング処理の流れの一例を説明する。なお、図中、各機能部に対応する符号は省略しているが、以下の説明では各機能部と符号との関係を明記する。
【００９９】
任意のタイミングで、営放システムからバンクシステムにファイリング指示が送信される。送信されるファイリング指示は、ファイリング処理が必要なＣＭ素材の一覧を含む。当該一覧では、各ＣＭ素材を識別する情報（局内独自コード、広告主名、ＣＭ素材名、１０桁ＣＭコード等の中の１つ又は複数）が示される。
【０１００】
オペレータは、例えば上記一覧をプリントアウトする。そして、端末装置５０の入稿サーバクライアント機能のインターフェイス画面を介して、所定の入力を行う。
【０１０１】
まず、オペレータは、ファイリング指示に含まれるＣＭ素材の一覧の中の１つ（以下、「ファイリング処理対象」）を識別する情報（ファイリング指示の一覧で示される局内独自コード、広告主名、ＣＭ素材名、１０桁ＣＭコード等の中の１つ又は複数）に基づいた検索条件（第２の検索条件）での検索指示を入力する。例えば、オペレータは、上記一覧を確認しながら、検索条件を直接入力する。入稿サーバクライアント部５２は、当該検索指示に応じて、所定の検索条件での検索依頼（第２の検索依頼）を入稿サーバ１０に送信する（図中「検索依頼」）。
【０１０２】
入稿サーバ１０の受付部２２は上記検索依頼を受信する。そして、第２の検索部１９は、検索依頼に応じてメタデータ記憶部１４を検索し、検索条件に合ったＣＭメタデータ、及び、対応する局内独自コード又はそれを示す画像情報を取得する。そして、検索結果を入稿サーバクライアント部５２に返信する（図中「検索」）。
【０１０３】
なお、第２の検索部１９は、対応する局内独自コードを示す画像情報を取得した場合、画像情報を検索結果に含めて入稿サーバクライアント部５２に送信する。一方、第２の検索部１９は、対応する局内独自コードそのものを取得した場合、局内独自コードを検索結果に含めて入稿サーバクライアント部５２に送信してもよいし、局内独自コードを示す画像情報を生成し、当該画像情報を検索結果に含めて入稿サーバクライアント部５２に送信してもよい。
【０１０４】
入稿サーバクライアント部５２は、入稿サーバ１０から取得した検索結果を出力する。検索結果には、局内独自コードを示す画像情報が含まれる（図中「画像情報出力」）。入稿サーバクライアント部５２は、局内独自コードを示す画像情報を含む検索結果を取得した場合、その画像情報を含む検索結果を出力する。一方、入稿サーバクライアント部５２は、局内独自コードそのものを含む検索結果を取得した場合、当該局内独自コードを示す画像情報を生成し、当該画像情報を含む検索結果を出力する。検索結果の出力は、ディスプレイ、投影装置、プリンター、メーラ等のあらゆる出力装置を用いて実現される。
【０１０５】
オペレータは、検索結果の一覧の中からファイリング処理対象を見つけると、それに対応して表示されている画像情報を、バンクシステムのコードリーダで読み取る。結果、ファイリング処理対象の局内独自コードが、バンクシステムに入力される。
【０１０６】
また、オペレータは、入稿サーバクライアント機能のインターフェイス画面を介して、検索結果の中に含まれるファイリング処理対象を指定する。すると、入稿サーバクライアント部５２は指定されたファイリング処理対象のＣＭ素材を識別する情報（広告主名、ＣＭ素材名、１０桁ＣＭコード等）を入稿サーバ１０に送信する。
【０１０７】
入稿サーバ１０の第２の指定部２０は、上記識別する情報で特定されるファイリング対象のＣＭ素材（ＣＭ映像ファイル、ＣＭメタデータ）を指定する。そして、ＣＭ映像ファイル出力部２１は、指定されたＣＭ映像ファイルをＣＭ映像ファイル記憶部１２から取り出し、バンクシステムからアクセス可能にする（図中「ＣＭ映像ファイル処理」）。例えば、ＣＭ映像ファイル出力部２１は、バンクシステムにＣＭ映像ファイルを送信してもよいし、バンクシステムからアクセス可能な任意の（予め定められた）記憶装置にＣＭ映像ファイルを格納してもよい。
【０１０８】
その後、オペレータは、バンクシステムを操作して、上記ＣＭ映像ファイルの再生（図中「再生」）、Ｉｎ点及びＯｕｔ点の指定（図中「Ｉｎ点Ｏｕｔ点指定」）、編集作業後のＣＭ映像ファイルの保存（図中「ファイリング」）等を行う。
【０１０９】
以上により、ファイルベースメディアや通信ネットワークを用いて放送局に納品され、ＣＭ映像ファイル記憶部１２やメタデータ記憶部１４に記憶されている情報（ＣＭ映像ファイル、ＣＭメタデータ）を用いたファイリング処理が完了する。
【０１１０】
以上説明した本実施形態によれば、ファイルベースメディアや通信ネットワークを用いて放送局に納品されたＣＭ映像ファイルに対するファイリング処理が実現される。
【０１１１】
なお、本実施形態におけるバンクシステムの機能は、ビデオテープで納品する現行システムの機能と変わらない。本実施形態における新規な部分は、入稿サーバ１０及び入稿サーバクライアント部５２である。
【０１１２】
すなわち、本実施形態を採用する場合、放送局は、現行システムのバンクシステムをそのまま利用し、新たに入稿サーバ１０及び入稿サーバクライアント部５２を放送局に導入すればよい。かかる場合、システム変更に要する費用や労力の負担を軽減できる。このため、本実施形態のシステムは、システム変更に要する費用や労力の負担を軽減したい放送局にとって有益なものとなる。
【０１１３】
また、システムを一度に大きく改修すると、不具合が発生する可能性が大きくなったり、不具合原因の特定が難しくなったりという不都合が発生する。入稿サーバ１０及び入稿サーバクライアント部５２の導入のみで済む本実施形態のシステムを過渡期のシステムとして採用することで、上記不都合を軽減できる。
【０１１４】
＜第４の実施形態＞
第３の実施形態と異なる点を説明する。本実施形態は、端末装置５０が局内独自コードを示す画像情報を読み取るコードリーダを有する。なお、図４及び図５に示すように、論理的及び／又は物理的に分かれた２つの装置（端末装置５０−１及び端末装置５０−２）各々に、入稿サーバクライアント部５２及び営放システムクライアント部５３の各々が設けられる場合、端末装置５０−１が局内独自コードを示す画像情報を読み取るコードリーダを有する。
【０１１５】
また、本実施形態では、営放システムからバンクシステムに送信されるファイリング指示の中に、局内独自コードを示す画像情報が含まれる。
【０１１６】
ここで、図１１のフロー図を用いて、ファイリング処理の流れの一例を説明する。なお、図中、各機能部に対応する符号は省略しているが、以下の説明では各機能部と符号との関係を明記する。
【０１１７】
本実施形態では、オペレータは、図中「検索依頼」（第２の検索依頼）の検索条件を入力する処理において、端末装置５０（又は端末装置５０−１）が備えるコードリーダを利用することができる。すなわち、オペレータは、コードリーダを用いて、ファイリング指示のリストに含まれる局内独自コードを示す画像を読み取らせることで、検索条件（局内独自コード）の入力を行うことができる。
【０１１８】
第２の実施形態で説明した通り、端末装置５０（又は端末装置５０−１）がコードリーダを備える場合、入稿処理（図７参照）において、当該コードリーダを介して局内独自コードを示す画像を読み取らせることができる（図中「コード取得」）。そして、局内独自コードそのものが各ＣＭメタデータに対応付けられる。このため、局内独自コードを、メタデータ記憶部１４内のＣＭメタデータ検索のための検索条件（検索キー）にすることができる。
【０１１９】
以上説明した本実施形態によれば、第３の実施形態と同様な作用効果を実現できる。また、入稿サーバクライアント部５２にコードリーダを介して情報を取得する機能を備えることで、入稿サーバクライアント部５２への情報の入力作業が容易になる。結果、作業効率が向上する。
【０１２０】
以下、参考形態の例を付記する。
１．  第１の検索条件を受け付ける受付手段と、
ＣＭ（ｃｏｍｍｅｒｃｉａｌ）素材ファイルに含まれるＣＭメタデータを記憶するメタデータ記憶手段を検索し、前記第１の検索条件に合った前記ＣＭメタデータを出力する第１の検索手段と、
前記ＣＭ素材ファイルを識別するコードを示すコード情報を取得する取得手段と、
前記第１の検索手段により検索された前記ＣＭメタデータに、前記コード情報又は前記コード情報の格納先を示す情報を対応付ける対応付手段と、
を有する入稿サーバ。
２．  １に記載の入稿サーバにおいて、
前記受付手段は、第２の検索条件を受け付け、
前記メタデータ記憶手段を検索し、前記第２の検索条件に合った前記ＣＭメタデータ、及び、対応付けられた前記コード情報を出力する第２の検索手段をさらに有する入稿サーバ。
３．  １又は２に記載の入稿サーバにおいて、
前記コード情報は、前記コードを示すバーコード又は２次元バーコードを含む画像情報である入稿サーバ。
４．  ２に記載の入稿サーバにおいて、
前記コード情報は、前記コードを示すバーコード又は２次元バーコードを含む画像情報を生成するための情報であって、
前記第２の検索手段は、対応付けられた前記コード情報から前記画像情報を生成する入稿サーバ。
５．  １に記載の入稿サーバにおいて、
前記コード情報は、前記コードを示すバーコード又は２次元バーコードを含む画像情報を生成するための情報である入稿サーバ。
６．  ２、２に従属する３、又は、４に記載の入稿サーバにおいて、
前記第２の検索手段により出力された前記ＣＭメタデータに対応するＣＭ映像ファイルをＣＭ映像ファイル記憶手段から取り出し、出力するＣＭ映像ファイル出力手段を有する入稿サーバ。
７．  第２の検索条件を受け付ける受付手段と、
ＣＭ素材ファイルを識別するコードを示すコード情報又は前記コード情報の格納先を示す情報と、ＣＭ素材ファイルに含まれるＣＭメタデータとを対応付けて記憶するメタデータ記憶手段を検索し、前記第２の検索条件に合った前記ＣＭメタデータ及び対応付けられた前記コード情報を出力する第２の検索手段と、
を有する入稿サーバ。
８．  ７に記載の入稿サーバにおいて、
前記第２の検索手段により出力された前記ＣＭメタデータに対応するＣＭ映像ファイルをＣＭ映像ファイル記憶手段から取り出し、出力するＣＭ映像ファイル出力手段をさらに有する入稿サーバ。
９．  入稿サーバのクライアントとして機能する入稿サーバクライアント手段を有し、
前記入稿サーバクライアント手段は、
ＣＭ素材ファイルに含まれるＣＭメタデータを記憶するメタデータ記憶手段を検索する第１の検索条件を含む第１の検索依頼を前記入稿サーバに送信する手段と、
前記第１の検索依頼の検索結果として、前記第１の検索条件に合った前記ＣＭメタデータを受信する手段と、
前記第１の検索依頼の前記検索結果を出力する手段と、
前記ＣＭ素材ファイルを識別するコードを示すコード情報を取得する手段と、
前記コード情報又は前記コード情報の格納先を示す情報と前記ＣＭメタデータとの対応付け依頼を前記入稿サーバに送信する手段と、
を有する端末装置。
１０．  ９に記載の端末装置において、
前記入稿サーバクライアント手段は、
前記メタデータ記憶手段を検索する第２の検索条件を含む第２の検索依頼を前記入稿サーバに送信する手段と、
前記第２の検索依頼の検索結果として、前記第２の検索条件に合った前記ＣＭメタデータ、及び、対応付けられた前記コード情報を受信する手段と、
前記第２の検索依頼の前記検索結果を出力する手段と、
を有する端末装置。
１１．  ９又は１０に記載の端末装置において、
前記コード情報は、前記コードを示すバーコード又は２次元バーコードを含む画像情報である端末装置。
１２．  ９又は１０に記載の端末装置において、
前記コード情報は、前記コードを示すバーコード又は２次元バーコードを含む画像情報を生成するための情報であり、
前記入稿サーバクライアント手段は、対応付けられた前記コード情報から前記画像情報を生成する手段を有する端末装置。
１３．  入稿サーバのクライアントとして機能する入稿サーバクライアント手段を有し、
前記入稿サーバクライアント手段は、
ＣＭ素材ファイルを識別するコードを示すコード情報又は前記コード情報の格納先を示す情報と、ＣＭ素材ファイルに含まれるＣＭメタデータとを対応付けて記憶するメタデータ記憶手段を検索する第２の検索条件を含む第２の検索依頼を前記入稿サーバに送信する手段と、
前記第２の検索依頼の検索結果として、前記第２の検索条件に合った前記ＣＭメタデータ、及び、対応付けられた前記コード情報を受信する手段と、
前記第２の検索依頼の検索結果を出力する手段と、
を有する端末装置。
１４．  １３に記載の端末装置において、
前記コード情報は、前記コードを示すバーコード又は２次元バーコードを含む画像情報である端末装置。
１５．  １３に記載の端末装置において、
前記コード情報は、前記コードを示すバーコード又は２次元バーコードを含む画像情報を生成するための情報であり、
前記端末装置は、対応付けられた前記コード情報から前記画像情報を生成する手段を有する端末装置。
１６．  １２又は１５に記載の端末装置において、
前記端末装置は、コードリーダを有し、前記画像情報を前記コードリーダで読み取ることで、前記コード情報を取得する端末装置。
１７．  ９から１６のいずれかに記載の端末装置において、
営放システムのクライアントとして機能する営放システムクライアント手段をさらに有する端末装置。
１８．  １７に記載の端末装置において、
前記営放システムクライアント手段は、
前記第１の検索依頼の前記検索結果に含まれる前記ＣＭメタデータを取得する手段と、
前記ＣＭメタデータに対応する前記コード情報を、前記営放システムに要求する手段と、
要求の結果として取得した前記コードを示す画像情報を出力する手段と、
を有する端末装置。
１９．  コンピュータが、
第１の検索条件を受け付ける受付工程と、
ＣＭ素材ファイルに含まれるＣＭメタデータを記憶するメタデータ記憶手段を検索し、前記第１の検索条件に合った前記ＣＭメタデータを出力する第１の検索工程と、
前記ＣＭ素材ファイルを識別するコードを示すコード情報を取得する取得工程と、
前記第１の検索工程で検索された前記ＣＭメタデータに、前記コード情報又は前記コード情報の格納先を示す情報を対応付ける対応付工程と、
を実行する入稿サーバの動作方法。
１９−２．  １９に記載の入稿サーバの動作方法において、
前記受付工程では、第２の検索条件を受け付け、
前記コンピュータが、前記メタデータ記憶手段を検索し、前記第２の検索条件に合った前記ＣＭメタデータ、及び、対応付けられた前記コード情報を出力する第２の検索工程をさらに実行する入稿サーバの動作方法。
１９−３．  １９又は１９−２に記載の入稿サーバの動作方法において、
前記コード情報は、前記コードを示すバーコード又は２次元バーコードを含む画像情報である入稿サーバの動作方法。
１９−４．  １９−２に記載の入稿サーバの動作方法において、
前記コード情報は、前記コードを示すバーコード又は２次元バーコードを含む画像情報を生成するための情報であって、
前記第２の検索工程では、対応付けられた前記コード情報から前記画像情報を生成する入稿サーバの動作方法。
１９−５．  １９に記載の入稿サーバの動作方法において、
前記コード情報は、前記コードを示すバーコード又は２次元バーコードを含む画像情報を生成するための情報である入稿サーバの動作方法。
１９−６．  １９−２、１９−２に従属する１９−３、又は、１９−４に記載の入稿サーバの動作方法において、
前記コンピュータが、前記第２の検索工程で出力された前記ＣＭメタデータに対応するＣＭ映像ファイルをＣＭ映像ファイル記憶手段から取り出し、出力するＣＭ映像ファイル出力工程をさらに実行する入稿サーバの動作方法。
２０．  コンピュータを、
第１の検索条件を受け付ける受付手段、
ＣＭ素材ファイルに含まれるＣＭメタデータを記憶するメタデータ記憶手段を検索し、前記第１の検索条件に合った前記ＣＭメタデータを出力する第１の検索手段、
前記ＣＭ素材ファイルを識別するコードを示すコード情報を取得する取得手段、
前記第１の検索手段により検索された前記ＣＭメタデータに、前記コード情報又は前記コード情報の格納先を示す情報を対応付ける対応付手段、
として機能させるプログラム。
２０−２．  ２０に記載のプログラムにおいて、
前記受付手段は、第２の検索条件を受け付け、
前記コンピュータを、前記メタデータ記憶手段を検索し、前記第２の検索条件に合った前記ＣＭメタデータ、及び、対応付けられた前記コード情報を出力する第２の検索手段としてさらに機能させるプログラム。
２０−３．  ２０又は２０−２に記載のプログラムにおいて、
前記コード情報は、前記コードを示すバーコード又は２次元バーコードを含む画像情報であるプログラム。
２０−４．  ２０−２に記載のプログラムにおいて、
前記コード情報は、前記コードを示すバーコード又は２次元バーコードを含む画像情報を生成するための情報であって、
前記第２の検索手段は、対応付けられた前記コード情報から前記画像情報を生成するプログラム。
２０−５．  ２０に記載のプログラムにおいて、
前記コード情報は、前記コードを示すバーコード又は２次元バーコードを含む画像情報を生成するための情報であるプログラム。
２０−６．  ２０−２、２０−２に従属する２０−３、又は、２０−４に記載のプログラムにおいて、
前記コンピュータを、前記第２の検索手段により出力された前記ＣＭメタデータに対応するＣＭ映像ファイルをＣＭ映像ファイル記憶手段から取り出し、出力するＣＭ映像ファイル出力手段としてさらに機能させるプログラム。
２１．  コンピュータが、
第２の検索条件を受け付ける受付工程と、
ＣＭ素材ファイルを識別するコードを示すコード情報又は前記コード情報の格納先を示す情報と、ＣＭ素材ファイルに含まれるＣＭメタデータとを対応付けて記憶するメタデータ記憶手段を検索し、前記第２の検索条件に合った前記ＣＭメタデータ及び対応付けられた前記コード情報を出力する第２の検索工程と、
を実行する入稿サーバの動作方法。
２１−２．  ２１に記載の入稿サーバの動作方法において、
前記コンピュータが、前記第２の検索工程で出力された前記ＣＭメタデータに対応するＣＭ映像ファイルをＣＭ映像ファイル記憶手段から取り出し、出力するＣＭ映像ファイル出力工程をさらに実行する入稿サーバの動作方法。
２２．  コンピュータを、
第２の検索条件を受け付ける受付手段、
ＣＭ素材ファイルを識別するコードを示すコード情報又は前記コード情報の格納先を示す情報と、ＣＭ素材ファイルに含まれるＣＭメタデータとを対応付けて記憶するメタデータ記憶手段を検索し、前記第２の検索条件に合った前記ＣＭメタデータ及び対応付けられた前記コード情報を出力する第２の検索手段、
として機能させるプログラム。
２２−２．  ２２に記載のプログラムにおいて、
前記コンピュータを、前記第２の検索手段により出力された前記ＣＭメタデータに対応するＣＭ映像ファイルをＣＭ映像ファイル記憶手段から取り出し、出力するＣＭ映像ファイル出力手段としてさらに機能させるプログラム。
２３．  コンピュータが、入稿サーバのクライアントとして機能する入稿サーバクライアント工程を実行し、
前記入稿サーバクライアント工程では、
ＣＭ素材ファイルに含まれるＣＭメタデータを記憶するメタデータ記憶手段を検索する第１の検索条件を含む第１の検索依頼を前記入稿サーバに送信する工程と、
前記第１の検索依頼の検索結果として、前記第１の検索条件に合った前記ＣＭメタデータを受信する工程と、
前記第１の検索依頼の前記検索結果を出力する工程と、
前記ＣＭ素材ファイルを識別するコードを示すコード情報を取得する工程と、
前記コード情報又は前記コード情報の格納先を示す情報と前記ＣＭメタデータとの対応付け依頼を前記入稿サーバに送信する工程と、
を実行する端末装置の動作方法。
２３−２．  ２３に記載の端末装置の動作方法において、
前記入稿サーバクライアント工程では、
前記メタデータ記憶手段を検索する第２の検索条件を含む第２の検索依頼を前記入稿サーバに送信する工程と、
前記第２の検索依頼の検索結果として、前記第２の検索条件に合った前記ＣＭメタデータ、及び、対応付けられた前記コード情報を受信する工程と、
前記第２の検索依頼の前記検索結果を出力する工程と、
をさらに実行する端末装置の動作方法。
２３−３．  ２３又は２３−２に記載の端末装置の動作方法において、
前記コード情報は、前記コードを示すバーコード又は２次元バーコードを含む画像情報である端末装置の動作方法。
２３−４．  ２３又は２３−２に記載の端末装置の動作方法において、
前記コード情報は、前記コードを示すバーコード又は２次元バーコードを含む画像情報を生成するための情報であり、
前記入稿サーバクライアント工程では、対応付けられた前記コード情報から前記画像情報を生成する工程を実行する端末装置の動作方法。
２３−５．  ２３から２３−４のいずれかに記載の端末装置の動作方法において、
前記コンピュータが、営放システムのクライアントとして機能する営放システムクライアント工程をさらに実行する端末装置の動作方法。
２３−６．  ２３−５に記載の端末装置の動作方法において、
前記営放システムクライアント工程では、
前記第１の検索依頼の前記検索結果に含まれる前記ＣＭメタデータを取得する工程と、
前記ＣＭメタデータに対応する前記コード情報を、前記営放システムに要求する工程と、
要求の結果として取得した前記コードを示す画像情報を出力する工程と、
を実行する端末装置の動作方法。
２４．  コンピュータを、入稿サーバのクライアントとして機能する入稿サーバクライアント手段として機能させ、
前記入稿サーバクライアント手段は、
ＣＭ素材ファイルに含まれるＣＭメタデータを記憶するメタデータ記憶手段を検索する第１の検索条件を含む第１の検索依頼を前記入稿サーバに送信する手段、
前記第１の検索依頼の検索結果として、前記第１の検索条件に合った前記ＣＭメタデータを受信する手段、
前記第１の検索依頼の前記検索結果を出力する手段、
前記ＣＭ素材ファイルを識別するコードを示すコード情報を取得する手段、
前記コード情報又は前記コード情報の格納先を示す情報と前記ＣＭメタデータとの対応付け依頼を前記入稿サーバに送信する手段、
として機能するプログラム。
２４−２．  ２４に記載のプログラムにおいて、
前記入稿サーバクライアント手段は、
前記メタデータ記憶手段を検索する第２の検索条件を含む第２の検索依頼を前記入稿サーバに送信する手段、
前記第２の検索依頼の検索結果として、前記第２の検索条件に合った前記ＣＭメタデータ、及び、対応付けられた前記コード情報を受信する手段、
前記第２の検索依頼の前記検索結果を出力する手段、
として機能するプログラム。
２４−３．  ２４又は２４−２に記載のプログラムにおいて、
前記コード情報は、前記コードを示すバーコード又は２次元バーコードを含む画像情報であるプログラム。
２４−４．  ２４又は２４−２に記載のプログラムにおいて、
前記コード情報は、前記コードを示すバーコード又は２次元バーコードを含む画像情報を生成するための情報であり、
前記入稿サーバクライアント手段は、対応付けられた前記コード情報から前記画像情報を生成する手段として機能するプログラム。
２５．  コンピュータが、入稿サーバのクライアントとして機能する入稿サーバクライアント工程を実行し、
前記入稿サーバクライアント工程では、
ＣＭ素材ファイルを識別するコードを示すコード情報又は前記コード情報の格納先を示す情報と、ＣＭ素材ファイルに含まれるＣＭメタデータとを対応付けて記憶するメタデータ記憶手段を検索する第２の検索条件を含む第２の検索依頼を前記入稿サーバに送信する工程と、
前記第２の検索依頼の検索結果として、前記第２の検索条件に合った前記ＣＭメタデータ、及び、対応付けられた前記コード情報を受信する工程と、
前記第２の検索依頼の検索結果を出力する工程と、
を実行する端末装置の動作方法。
２５−２．  ２５に記載の端末装置の動作方法において、
前記コード情報は、前記コードを示すバーコード又は２次元バーコードを含む画像情報である端末装置の動作方法。
２５−３．  ２５に記載の端末装置の動作方法において、
前記コード情報は、前記コードを示すバーコード又は２次元バーコードを含む画像情報を生成するための情報であり、
前記コンピュータが、対応付けられた前記コード情報から前記画像情報を生成する工程を実行する端末装置の動作方法。
２６．  コンピュータを、入稿サーバのクライアントとして機能する入稿サーバクライアント手段として機能させ、
前記入稿サーバクライアント手段は、
ＣＭ素材ファイルを識別するコードを示すコード情報又は前記コード情報の格納先を示す情報と、ＣＭ素材ファイルに含まれるＣＭメタデータとを対応付けて記憶するメタデータ記憶手段を検索する第２の検索条件を含む第２の検索依頼を前記入稿サーバに送信する手段、
前記第２の検索依頼の検索結果として、前記第２の検索条件に合った前記ＣＭメタデータ、及び、対応付けられた前記コード情報を受信する手段、
前記第２の検索依頼の検索結果を出力する手段、
として機能するプログラム。
２６−２．  ２６に記載のプログラムにおいて、
前記コード情報は、前記コードを示すバーコード又は２次元バーコードを含む画像情報であるプログラム。
２６−３．  ２６に記載のプログラムにおいて、
前記コード情報は、前記コードを示すバーコード又は２次元バーコードを含む画像情報を生成するための情報であり、
前記コンピュータを、対応付けられた前記コード情報から前記画像情報を生成する手段として機能させるプログラム。
【符号の説明】
【０１２１】
１Ａ    プロセッサ
２Ａ    メモリ
３Ａ    入出力Ｉ／Ｆ
４Ａ    周辺回路
５Ａ    バス
１０    入稿サーバ
１１    ＣＭ映像ファイル処理部
１２    ＣＭ映像ファイル記憶部
１３    メタデータ処理部
１４    メタデータ記憶部
１５    第１の検索部
１６    第１の指定部
１７    取得部
１８    対応付部
１９    第２の検索部
２０    第２の指定部
２１    ＣＭ映像ファイル出力部
２２    受付部
５０    端末装置
５０−１  端末装置
５０−２  端末装置
５１    制御部
５２    入稿サーバクライアント部
５３    営放システムクライアント部
【図１】
0006468246.tif 000002
【図２】
0006468246.tif 000003
【図３】
0006468246.tif 000004
【図４】
0006468246.tif 000005
【図５】
0006468246.tif 000006
【図６】
0006468246.tif 000007
【図７】
0006468246.tif 000008
【図８】
0006468246.tif 000009
【図９】
0006468246.tif 000010
【図１０】
0006468246.tif 000011
【図１１】
0006468246.tif 000012
【図１２】
0006468246.tif 000013
【図１３】
0006468246.tif 000014
【図１４】
0006468246.tif 000015